(57)【要約】【課題】多本数連結された止具を収納するマガジンを備えた打込機において、止具を連結している、連結部材の変形を抑えて、打込機の止具送り不良を低減する構造を提供する。【解決手段】  多本数連結された止具を収納する円筒形状の収納部を有するマガジンと、該マガジンの一端と接続する射出部と、該射出部に形成され、該止具が打ち出される射出口と、を備えた打込機において、該収納部と該射出口の間に、複数の位置に調整が可能なガイド部材を設けた。【選択図】図１
2010240748.tif 000002
【特許請求の範囲】
【請求項１】
多本数連結された止具を収納する円筒形状の収納部を有するマガジンと、
該マガジンの一端と接続する射出部と、
該射出部に形成され、該止具が打ち出される射出口と、を備えた打込機において、
該収納部と該射出口の間に、複数の位置に調整が可能なガイド部材を設けたことを特徴とする打込機。
【請求項２】
該収納部の中に設けられ、移動が可能であって、止具の足先をガイドするネイルホルダと備え、
該ガイド部材は、該ネイルホルダに形成した突出部であることを特徴とする請求項１記載の打込機。
【請求項３】
該マガジンの該収納部から該射出口における区間において、該ガイド部材を任意の位置で支持可能であることを特徴とする請求項１または請求項２記載の打込機。
【発明の詳細な説明】
【技術分野】
【０００１】
本発明は、針金等の連結部材によって連結された連結止具を射出口へ供給して、射出口に供給された先頭の止具を被打込材へ打ち込む打込機に関する。
【背景技術】
【０００２】
圧縮空気を動力源として渦巻状に巻かれた連結止具を被打込材へ打ち込む打込機が知られている。連結止具は金属線や合成樹脂片等の可撓性を有した連結部材により隣接した止具の軸部同士が互いに連結されている。
【０００３】
打込機のマガジン内には、ネイルホルダが設けられており、様々な長さの止具の下端を支持できるように、マガジン内で上下方向にスライド可能にホルダシャフトに固定されている。また、ネイルホルダの中心部内径に形成された凸部と、ホルダシャフトの外周面に形成した凹部に選択的に支持させることによって、ネイルホルダの位置を段階的に調整させるようにしている。
【０００４】
このような打込機に使用する連結止具の一般的な課題として、打込み時の振動で、連結部材である針金が曲がってしまうという課題がある。
【０００５】
特許文献１の打込機のマガジンは、短い止具を使用した際にもマガジン内に隙間を発生させない構造を示す。特許文献１の打込機のマガジンは、円筒状の連結止具収容部が形成されており、この収容部内に渦巻状に巻かれた連結止具の下端を支持するようにしたネイルホルダが配置されている。また、特許文献２に示すように、テールカバーに形成した溝とマガジンによって止具の頭部をガイドすることで連結部材の変形を抑える構造が知られている。
【先行技術文献】
【特許文献】
【０００６】
【特許文献１】実公平５−４０９３９
【特許文献２】特開２００１−１９８８４７
【発明の開示】
【発明が解決しようとする課題】
【０００７】
特許文献１、特許文献２記載の従来のマガジンでは、マガジンの円筒状収納部内においては止具の頭部の位置を一定の高さに調整でき、止具の動揺を抑制することができる。しかし、短い止具を使用した際、止具がマガジンの収納部から引き出された後から射出口までの間においては、止具の足先をガイドする部材が上下に移動することができないため、打込時の反動により前記区間の連結部材が大きく変形したり、止具事態が連結部材から脱落するなどして、止具の給送不良が発生する要因となっていた。
【０００８】
さらに、連結止具とネイルホルダを支えているのが、ホルダシャフトのみであるため、本体を使用中で止具の打込みで発生する衝撃が、ホルダシャフトに集中して荷重が掛かり破損するという問題がある。
【０００９】
本発明は、止具の長さによらずに、マガジン内から射出口までの区間における止具の足先を、少しでも多く支持できるようにして、止具の連結体からの脱落を防止し、止具送りを向上するものであ。さらには、ネイルホルダ、ホルダシャフトの耐久性向上を図るものである。
【課題を解決するための手段】
【００１０】
上記課題を解決する為に本発明は、  多本数連結された止具を収納する円筒形状の収納部を有するマガジンと、該マガジンの一端と接続する射出部と、該射出部に形成され、該止具が打ち出される射出口と、を備えた打込機において、該収納部と該射出口の間に、複数の位置に調整が可能なガイド部材を設けた。
【発明の効果】
【００１１】
請求項１に係る発明によれば、マガジンの収納部と射出部の間に、複数の位置に調整が可能なガイド部材を設けたため、打込み時の衝撃による連結部材の変形を抑制することができる。これにより、止具の送り不良を低減できるという効果がある。
【００１２】
請求項２に係る発明によれば、ガイド部材を、ネイルホルダに形成した突出部としたことで、ネイルホルダとガイド部材の高さを合わせる必要がなくなるため、作業効率が向上する。
【００１３】
請求項３に係る発明によれば、マガジンの収納部と射出口の間において、ガイド部材を任意の位置で支持可能である構成にしたことにより、ネイルホルダが、マガジンの収納部から射出口における区間と、ホルダシャフトの２箇所で支持されるため、ネイルホルダとホルダシャフトに掛かる衝撃の負担が減少し耐久性を向上することができる。
【図面の簡単な説明】
【００１４】
【図１】本発明の実施の形態に係る打込機のマガジン構造を有する一実施例を示す断面図。
【図２】図１のマガジン収納部の詳細断面図。
【図３】図１のマガジン収納部の詳細断面図。
【発明を実施するための最良の形態】
【００１５】
本発明の打込機の構成について図１〜図３を用いて説明する。また、説明の便宜上、図における紙面上方向を上方向、紙面下方向を下方向と定義するが、この定義は本発明を制限するものではない。
【００１６】
図１に示すように打込機１は、主にハウジング２、射出部３、マガジン２１から構成され、ハウジング２には、後述の射出方向と交差する方向に延びるハンドル部２Ａが一体に設けられている。図示しない圧縮機からの圧縮空気を蓄積するために、打込機１のハンドル部２Ａ及びハウジング２内に蓄圧室５が形成されている。また、ハウジング２のハンドル部２Ａ端部には、圧縮機から延びるエアホースを接続するためのエアプラグが設けられている。蓄圧室５は図示しないエアホースを介して図示しない圧縮機に接続される。
【００１７】
ハウジング２内部には、円筒状のシリンダ４が設けてあり、シリンダ４内には上下に摺動可能に往復動するピストン６が配置されている。また、シリンダ４の下方にはゴム製のバンパ７を配置している。バンパ７の下方には止具を打ち込むための射出部３を形成している。
【００１８】
シリンダ４は、ピストン６を上下摺動自在に収容する。また、ピストン６には、止具を打込むドライバブレード８が連結されている。ピストン６はシリンダ４内周とほぼ同一の外周面をもち、ピストン６外周にはシール部材であるＯリング９を有するため、シリンダ４はピストン６によってシリンダ４上室とシリンダ４下室に隔てられる。シリンダ４上室はトリガ１０の操作によって、蓄圧室５及び大気と選択的に連通可能になっている。また、シリンダ４外周にはシリンダプレート１１が設けられている。シリンダプレート１１は中空円柱形状をしており、その内周と外周のそれぞれに、シール部材であるＯリングが設けてある。シリンダプレート１１の内周はシリンダ４の外周とほぼ等しく、シリンダプレート１１の外周はハウジング２の内周とほぼ等しい。シリンダプレート１１の下面、シリンダ４外周面、ハウジング２内壁によって、戻り空気室１２を形成する。シリンダ４外周面には、空気穴１３ａ、１３ｂが設けてある。空気穴１３ａ、１３ｂは共に、シリンダ４内部と戻り空気室１２を連通させるように設けられており、空気穴１３ａは空気穴１３ｂよりも上部に位置している。また、空気穴１３ａは、シリンダ４内部から戻り空気室１２方向へのみ圧縮空気を流入させる逆止弁１６を備えている。
【００１９】
シリンダ４上部には円筒形状のスリーブバルブ１０Ａが設けられている。スリーブバルブ１４ａの内周面は、シリンダ４の外周面とほぼ同一であるため、シリンダ４はスリーブバルブ１４ａ内に挿入されている。また、スリーブバルブ１４ａ下端面、シリンダ４外周面、ハウジング２内壁で、スリーブバルブ１４ｂを形成する。スリーブバルブ室１０Ｂ内にはスプリング１５が設けられており、スリーブバルブ１４ａを上方向に付勢している。また、スリーブバルブ１４ｂは、図示しない空気通路を介して、蓄圧室５及び大気と選択的に連通可能である。
【００２０】
シリンダ４下部には、バンパ７が設けられている。バンパ７は略円筒形状であり、ゴム製の弾性体である。バンパ７は、ピストン６が下死点に到達した際に、ピストン６の下面とバンパ７の上面が接触するように配置されている。また、バンパ７の下面は射出部３と隣接している。
【００２１】
射出部３は射出口１７と給送機構によって構成されている。射出部３は内部に空間である射出口１７を形成している。給送機構によって止具が射出口１７に送られてくる。また、射出口１７の内壁によってドライバブレード８が案内される。給送機構は、送りシリンダ１８、往復動軸１９、送り爪２０によって構成されている。送りシリンダ１８は、内部に送りピストンを備えており、送りピストンには往復動軸１９が一体に設けられている。往復動軸１９の一端は送りピストンと結合しているが他端には、図示しないピンによって送り爪２０が固定されている。送りシリンダ１８内部と前述の戻り空気室１２は連通している。また、送りシリンダ１８内部の送りピストンは、図示しないスプリングによって、射出口１７方向に付勢されている。射出部は、マガジン２１の一端と接続している。
【００２２】
マガジン２１は、可動マガジン２２、固定マガジン２３、ネイルホルダ２４、ホルダシャフト２５で構成される。
【００２３】
連結止具は、マガジン２１に形成される収納部２６に収納される。連結止具は収納部２６内では、渦巻状に収納され、そこから順次射出部３へ送られる。収納部２６は、固定マガジン２３の半円筒部３２と可動マガジン２２とで形成されるほぼ円筒形状の部位である。
【００２４】
固定マガジン２３は、半円筒部３２と平面部２７を有している部材であり、平面部２７の一端は射出部と接続している。平面部２７の下端には、止具の長手方向と直交する方向に突出した足先ガイド３１が形成される。また、平面部２７には、マガジン２１の収納部２６から射出口１７方向へ溝部２８を形成している。溝部２８の幅は、ネイルホルダ２４の厚さより大きく設定されている。
【００２５】
可動マガジン２２は、半円筒の部材であり、ピンを介して固定マガジン２３に回転可能に固定されている。固定マガジン２３と可動マガジン２２によって、ほぼ円筒形状である収納部２６を形成する。収納部２６には、ネイルホルダ２４、ホルダシャフト２５がピンを介して固定マガジン２３に回転可能に固定されている。また、ネイルホルダ２４とホルダシャフト２５は、不図示のスプリングによって可動マガジン２２側に倒れる方向に付勢されている。ボルダシャフト２５は略角柱形状であり、外壁には複数個の凹部を形成している。ネイルホルダ２４の収納部２６内に位置する部位はは円盤形状であり、円の中心には突出部２４ａを形成している。突出部２４ａは円筒形状であり、ネイルホルダ２４の中心から垂直に突き出している。突出部２４ａ内部には、ホルダシャフト２５が挿入され、ネイルホルダ２４はホルダシャフト２５に沿って移動可能に固定される。また、突出部２４ａ内壁には凸部２４ｃを形成しており、ホルダシャフト２５外壁に形成した凹部２５ａと噛み合うことができる。凸部２４ｃと凹部２５ａが噛み合うことで、ネイルホルダ２４は上下方向において固定される。
【００２６】
ネイルホルダ２４には、射出部３方向へ延びる突出部２４ｂが形成されている。突出部２４ｂは、マガジン２１の収納部２６から射出口１７までの区間に位置し、止具の足先をガイドするガイド部材として機能する。前述のようにネイルホルダ２４の位置がホルダシャフト２５に沿って調整可能であるため、ガイド部材の位置が止具の長さに合わせて調整可能である。また、突出部２４ｂには溝部２８に入り込むことが可能な引掛け部３０が形成されている。
【００２７】
ネイルホルダ２４の突出部２４ａの下端には弾性体２９が固定されている。弾性体２９はＣリングであり、両端付近には回り止め用凸部２９ａを形成している。また、ホルダシャフト２５外壁には、回り止め用凸部２９ａと噛み合い可能な、回り止め用凹部２５ｂが形成されている。
【００２８】
次に本発明の打込機の動作について図１を用いて説明する。可動マガジン２２を移動させ、渦巻状に巻かれた連結止具をネイルホルダ２４の突出部２４ａに嵌め込む。止具の長さに応じて、ネイルホルダ２４を上下方向に移動させ、適切な位置で、ホルダシャフト２５を軸にしてネイルホルダ２４を回転させる。ネイルホルダ２４を回転させることにより、凸部２４ｃと凹部２５ａが噛み合い、ネイルホルダ２４が上下方向において固定される。さらに、ネイルホルダ２４を回転させると、ネイルホルダ２４に設けられた弾性体２９に形成している回り止め用凸部２９ａと、ホルダシャフト２５に形成した回り止め用凹部２５ｂが噛み合う。回り止め用凸部２９ａと回り止め用凹部２５ｂが噛み合うことによって、ネイルホルダ２４が回転方向において固定される。その後、可動マガジン２２を固定マガジン２３側へ戻すことにより、収納部２６へ連結止具の装填が完了する。また、可動マガジン２２を固定マガジン２３側へ戻す際に、ネイルホルダ２４の突出部２４ｂに形成した引掛け部３０が、マガジン２１に形成した溝部２８に入り込む。本発明の実施形態では、マガジン２１の収納部２６から射出口１７までの区間において、止具の足先をガイドするガイド部材は、ネイルホルダ２４に形成した突出部２４ｂであるため、ネイルホルダ２４を移動させることにより、ガイド部材である突出部２４ｂも共に移動する。よって、ガイド部材をネイルホルダ２４の位置に合わせる必要がないため、止具の装填がスムーズに行われる。
【００２９】
図示していないエアホースをつなぐと、蓄圧室５内に蓄積された圧縮空気の一部は、図示しない空気通路を通ってスリーブバルブ１４ｂ内に流入する。スリーブバルブ１４ａは、スリーブバルブ１４ｂ内に流入した圧縮空気と、スプリング１５によって上方向へ付勢される。トリガ１０を操作しない状態において、スリーブバルブ１４ａは蓄圧室５内の圧縮空気によって下方向に付勢されている。しかし、スリーブバルブ１４ｂ内に流入した圧縮空気と、スプリング１５による上方向にへの付勢力の方が強いため、圧縮空気がシリンダ４上室に流入するのを防いでいる。
【００３０】
トリガ１０を引くと、スリーブバルブ１４ｂと大気が連通する。これにより、スリーブバルブ１４ａが下方向へ移動し、蓄圧室５とシリンダ４上室が連通する。シリンダ４上室に流入した圧縮空気は、ピストン６を急激に下死点に移動させ、ピストン６に結合されたドライバブレード８によって止具を打込む。この時、シリンダ４下室の空気は、空気穴１３ｂを介して戻り空気室１２に流入する。シリンダ４の側面には、圧縮空気を戻り空気室１２方向へのみに流入させる逆止弁１６を備えた空気穴１３ａが設けてある。よって、ピストン６がシリンダ４に設けられた空気穴１３ａより下方に位置したとき、シリンダ４上室に流入した圧縮空気の一部が空気穴１３ａを介して戻り空気室１２に流入する。蓄圧室５から流入した圧縮空気によって下降してきたピストン６は下死点でバンパ７に接触する。バンパ７はピストン６の余剰エネルギーを吸収し、変形する。
【００３１】
この時、打込機は、ピストン６がバンパ７の衝突したことによって振動する。この振動はマガジン２１の収容部や、収容部から射出口１７にかけての区間に存在している連結止具に伝わる。収容部内の連結止具は、ネイルホルダ２４によって足先をガイドされているため、止具を連結している連結部材に衝撃が伝わるのを防止する。また、収容部から射出口１７にかけての区間に存在している連結止具は、ネイルホルダ２４に形成した突出部２４ｂによって足先をガイドされている。よって、連結止具の足先は、収容部から射出口１７付近までガイドされ、止具が動揺するのを防ぐため、止具を連結している連結部材に伝わる衝撃を低減することができる。この時、ネイルホルダ２４の突出部２４ｂに形成した引掛け部３０は、溝部２８に支持されている状態である。よって、ネイルホルダ２４はホルダシャフト２５と溝部２８の２箇所で支持されるため、ネイルホルダ２４は安定する。
【００３２】
打込み工程時において、シリンダ４下室の圧縮空気及びピストン６が空気穴１３ａを通過した後のシリンダ４上室の圧縮空気の一部は、戻り空気室１２に流入する。戻り空気室１２は送りシリンダ１８と連通しているため、止具打込み時に戻り空気室１２から送りシリンダ１８内部へ圧縮空気が流入する。送りシリンダ１８内部へ圧縮空気が流入することにより、送りピストンがスプリングの付勢力に抗して、射出口１７から離れる方向へ移動する。この時、送り爪２０が次の止具に引っ掛かる。
【００３３】
トリガ１０を戻すと、スリーブバルブ１４ｂに圧縮空気が流入し、スリーブバルブ１４ａを上方向へ押し上げる。よって、シリンダ４上室と蓄圧室５は遮断され、シリンダ４上室と大気が連通する。ピストン６は、戻り空気室１２に蓄積された圧縮空気によって下側から押圧され上昇する。
【００３４】
トリガ１０を戻すことによって、戻り空気室１２内の圧縮空気はシリンダ４内部ヘ戻り、大気へ放出される。戻り空気室１２内の圧縮空気が無くなるため、送りシリンダ１８内に流入していた圧縮空気も無くなる。送りピストンは常にスプリングによって付勢されているため、送りシリンダ１８内の圧縮空気が無くなる事によって、送りピストン、往復動軸１９、送り爪２０が射出口１７方向に移動する。送り爪２０には、次の止具が引っ掛かった状態であるため、射出口１７に次の止具が送られる。
【００３５】
本発明のマガジン２１は、ネイルホルダ２４に射出部方向へ延びる突出部２４ｂを形成しているため、送り爪２０によって止具がマガジンの収納部２６から引き出されても、止具の足先はガイドされる。よって、短い止具を使用した際も、マガジンの収納部２６から射出口１７の区間において、止具の足先はガイドされ、止具の送り不良を低減することができる。
【符号の説明】
【００３６】
１：打込機  ２：ハウジング  ２Ａ：ハンドル部  ３：射出部  ４：シリンダ
５：蓄圧室  ６：ピストン  ７：バンパ  ８：ドライバブレード８  ９：Ｏリング
１０：トリガ  １１：シリンダプレート  １２：戻り空気室  １３ａ、１３ｂ：空気穴
１４ａ：スリーブバルブ  １４ｂ：スリーブバルブ室  １５：スプリング  １６：逆止弁
１７：射出口  １８：送りシリンダ  １９：往復動軸  ２０：送り爪  ２１：マガジン
２２：可動マガジン  ２３：固定マガジン  ２４：ネイルホルダ  ２４ａ：突出部
２４ｂ：突出部  ２４ｃ：凸部  ２５：ホルダシャフト  ２５ａ：凹部
２５ｂ：回り止め用凹部  ２６：収納部  ２７：平面部  ２８：溝部  ２９：弾性体
２９ａ：回り止め用凸部  ３０：引掛け部  ３１：足先ガイド  ３２：半円筒部
【図１】
2010240748.tif 000003
【図２】
2010240748.tif 000004
【図３】
2010240748.tif 000005